(57)【要約】【課題】カードを挿入することによってカード挿入部を形成する二つの部材が相互に離間することを抑制できるカードホルダ構造を得る。【解決手段】カード収納空間Ｓｃの主として一方側（図７で右側）に配置される部材としてのマスクパネル１Ｂに、これを他方側（図７で左側）に回り込ませた帯状部１５の突起部１５ａを形成する一方、他方側に配置される部材としてのインストルメントパネル本体１Ａには、この突起部１５ａのカード収納空間Ｓｃ側に隣接させて、当該カード収納空間Ｓｃの側壁１２の一部をなすリブ１７の突起部１７ｅを形成した。【選択図】図７
2009056861.tif 000002
【特許請求の範囲】
【請求項１】
第一および第二の部材によってスリット状の開口部を有するカード挿入部が形成されるカードホルダ構造において、
前記第一および第二の部材のうち前記カード挿入部の一方側に配置される部材を他方側に回り込ませるとともに、他方側に配置される部材に、前記一方側に配置される部材を回り込ませた部分のカード挿入部側に隣接させて、当該カード挿入部の側壁を形成することにより、前記カード挿入部に挿入したカードから当該側壁が受けた押圧力が、当該回り込ませた部分に対して、それら第一および第二の部材同士が相互に突き合う方向に作用するように構成したことを特徴とするカードホルダ構造。
【請求項２】
第一および第二の部材の外面側の端縁同士を突き合わせて境界線が形成されるとともに、当該境界線に沿うスリット状の開口部を有するカード挿入部が形成されるカードホルダ構造であって、
前記第一および第二の部材のうち一方に前記スリット状の開口部を形成するとともに、当該スリット状の開口部と略平行に前記境界線を形成し、
前記スリット状の開口部と境界線との間で、前記第一および第二の部材のうち他方の一部を前記一方の外面の裏面側に配置して、当該他方の一部に前記カード挿入部の側壁を形成するとともに、当該側壁の外面側に、その境界線側で前記一方と係止する係止突起部を形成したことを特徴とするカードホルダ構造。
【請求項３】
前記側壁には、カード挿入方向に沿って伸びるリブを設け、当該リブの前記外面側の端部に、前記係止突起部を形成したことを特徴とする請求項２に記載のカードホルダ構造。
【請求項４】
前記リブと対向する支持爪部を設け、リブと支持爪部とでカードを挟持するようにしたことを特徴とする請求項３に記載のカードホルダ構造。
【請求項５】
前記リブと支持爪部とを、前記スリット状の開口部の長手方向に沿ってずらして配置したことを特徴とする請求項４に記載のカードホルダ構造。
【請求項６】
前記第一および第二の部材のうち支持爪部を形成した方に、その他方と係合する係合爪部を形成し、当該支持爪部および係合爪部を略同一形状として所定間隔をあけて略平行に隣接配置したことを特徴とする請求項４または５に記載のカードホルダ構造。
【請求項７】
前記第一および第二の部材のうち支持爪部および係合爪部を形成した方の他方に、当該支持爪部および係合爪部の間に挿入される第二の係止突起部を設けたことを特徴とする請求項６に記載のカードホルダ構造。
【請求項８】
第一および第二の部材によってスリット状の開口部を有するカード挿入部が形成されるカードホルダ構造において、
前記第一および第二の部材のうち前記カード挿入部の一方側に配置される部材を他方側に回り込ませ、当該回り込ませた部分に当該カード挿入部の第二の側壁を形成することにより、前記カード挿入部に挿入したカードから当該第二の側壁が受けた押圧力が、それら第一および第二の部材同士が相互に突き合う方向に作用するように構成したことを特徴とするカードホルダ構造。
【発明の詳細な説明】
【技術分野】
【０００１】
本発明は、カードホルダ構造に関する。
【背景技術】
【０００２】
クレジットカード等のカード類を収納するカードホルダが、車体内装部材、例えばインストルメントパネルに設けられている車両が知られている（例えば、特許文献１参照）。
【０００３】
この特許文献１では、カードホルダは、インストルメントパネルの内部と、その表面に止着されるメータクラスタとの間に形成されている。メータクラスタ側には、第１底壁と上壁部と第１側壁部とが一体に形成されるとともに、インストルメントパネル側には、第２底壁と第２側壁部と奥壁部とが一体に形成され、メータクラスタをインストルメントパネルに組み付けることにより、前記第１底壁、上壁部、第１側壁部および前記第２底壁、第２側壁部、奥壁部によってカード収納空間が形成されている。
【特許文献１】特開２００３−２２０８９１号公報
【発明の開示】
【発明が解決しようとする課題】
【０００４】
上記従来のカードホルダ構造のように、二つの部材によってカード挿入部が構成されている場合、挿入したカードから二つの部材が相互に離間する方向に力を受けてしまう場合がある。その場合、カード保持力の低下を来す虞がある他、さらに、それら二つの部材の境界線が露出している場合には、当該境界線の隙間が広がって、美観が損なわれてしまう虞がある。
【０００５】
そこで、本発明は、カードを挿入することによってカード挿入部を形成する二つの部材が相互に離間することを抑制できるカードホルダ構造を得るものである。
【課題を解決するための手段】
【０００６】
本発明は、第一および第二の部材のうちカード挿入部の一方側に配置される部材を他方側に回り込ませるとともに、他方側に配置される部材に、一方側に配置される部材を回り込ませた部分のカード挿入部側に隣接させて、当該カード挿入部の側壁を形成することにより、カード挿入部に挿入したカードから当該側壁が受けた押圧力が、それら第一および第二の部材同士が相互に突き合う方向に作用するように構成したことを最も主要な特徴とする。
【発明の効果】
【０００７】
本発明の車両のカードホルダ構造によれば、カード挿入部に挿入されたカードの押圧力は、他方側の部材に形成した側壁を、一方側の部材の回り込み部分に押し付ける方向に作用することになる。すなわち、カードの押圧力が、第一および第二の部材同士が相互に突き合う方向に作用することになる。
【発明を実施するための最良の形態】
【０００８】
以下、本発明の好適な実施形態について図面を参照しながら詳細に説明する。図１〜図９は本発明にかかる車両のカードホルダ構造の一実施形態を示している。
【０００９】
図１は、車室内でカードホルダが設置される部分の斜視図、図２は、カードホルダの裏面側の構造を示す斜視図、図３は、カードホルダの裏面側の構造を示す分解斜視図、図４は、図１中Ａ部の拡大正面図である。
【００１０】
本実施形態にかかるカードホルダ１０は、車室の内装部材であるインストルメントパネル１の車幅方向中央部の下部でセンターコンソール２に連なる部分に形成されており、運転席３の車室中央側前方に位置して、運転者が容易にカードを出し入れできるようになっている。カードホルダ１０は、インストルメントパネル本体１Ａと、マスクパネル１Ｂとによって形成されている。
【００１１】
インストルメントパネル本体１Ａは、左右フロントピラー下部（図示せず）間で車幅方向に沿って架設されるステアリングメンバ（図示せず）に固定されている。マスクパネル１Ｂは、インストルメントパネル本体１Ａに形成された矩形状の開口部１ｈを閉塞する略薄板状の部材である。これら、インストルメントパネル本体１Ａおよびマスクパネル１Ｂは、それぞれ合成樹脂で形成されている。
【００１２】
図１および図４に示すように、本実施形態では、インストルメントパネル本体１Ａの外面１ａ側の端縁１Ａｃとマスクパネル１Ｂの外面１ａ側の端縁１Ｂｃとを相互に突き合わせて略上下方向に伸びる境界線ＢＬが形成されている。そして、マスクパネル１Ｂの境界線ＢＬと所定間隔をあけた位置に、この境界線ＢＬと略平行に、スリット状のカード挿入口１１が形成されている。カードＣは、このカード挿入口１１から、インストルメントパネル１の内方のカード挿入部としてのカード収納空間Ｓｃに挿入されるようになっている。
【００１３】
このとき、マスクパネル１Ｂのうちカード挿入口１１より境界線ＢＬ側の領域（カード挿入口１１と境界線ＢＬとの間の領域）である帯状部１５は、カード挿入口１１に対して主として一方側（図１，図４では右側）にあるマスクパネル１Ｂを他方側（同左側）に回り込ませた部分に相当する。なお、境界線ＢＬでは、端縁１Ａｃ，１Ｂｃ間に僅かな隙間が設定されている。
【００１４】
図２，図３に示すように、インストルメントパネル本体１Ａの裏面１ｂには、カード挿入口１１の片側（境界線ＢＬ側、図１，図４では左側）を覆う側壁１２が、当該裏面１ｂと略垂直に突設されている。側壁１２の上端には上壁部１２Ｕが形成されるとともに下端には下壁部１２Ｌが形成され、それら側壁１２、上壁部１２Ｕ、および下壁部１２Ｌで囲まれる部分が、カード挿入口１１に連続したカード収納空間（カード挿入部）Ｓｃとなっている。
【００１５】
また、図３に示すように、マスクパネル１Ｂの裏面１ｂの、カード挿入口１１の上側縁および下側縁からは、カードＣを挿入する際のガイドとなる棚部１１Ｓ１，１１Ｓ２が突設されている。そして、各棚部１１Ｓ１，１１Ｓ２に対応して、支持爪部１６および係合爪部１９のペアが、それぞれ棚部１１Ｓ１，１１Ｓ２を挟むようにして突設されている。
【００１６】
図５は、図４中Ｂ−Ｂ線に沿った拡大断面図、図６は、図４中Ｃ−Ｃ線に沿った拡大断面図、図７は、図４中Ｄ−Ｄ線に沿った拡大断面図、図８は、図４中Ｅ−Ｅ線に沿った拡大断面図、図９は、図２中Ｆ−Ｆ線に沿った拡大断面図である。
【００１７】
図２および図６に示すように、側壁１２の先端部には、所定幅ｗをもって折り返された奥側側壁１２Ｔが形成されている。奥側側壁１２Ｔは、カードホルダ１０を構成する部分でカード挿入口１１に対して主として一方側（図６，図１，図４では左側）にあるインストルメントパネル本体１Ａを他方側（同右側）に回り込ませた部分に形成された第二の側壁に相当する。なお、奥側側壁１２Ｔの上下端部内面には、カードＣの挿入方向に沿って凸条１３が突設されている。
【００１８】
そして、図２，図３，図６，および図７に示すように、本実施形態では、マスクパネル１Ｂに設けた支持爪部１６とインストルメントパネル本体１Ａに設けたリブ１７とによってカードＣをその厚み方向両側から挟持して保持するようになっている。
【００１９】
支持爪部１６は、図３に示すように、カード挿入口１１の上端部に対応する部位と下端部に対応する部位とに一対設けられている。また、図６に示すように、各支持爪部１６は、カード挿入口１１の周縁部においてマスクパネル１Ｂの裏面から略直角に突出する腕部１６ａと、この腕部１６ａをばね（弾発力）としてその先端部に設けられて、頂点部１６ｔがカードＣの側面に接触する平面視略三角形状の膨出部１６ｂと、によって形成されており、当該膨出部１６ｂの頂点部１６ｔがカード挿入口１１の前後投影面内に若干進入するように配置されている。
【００２０】
リブ１７は、側壁１２の一部をなすものであり、図２に示すように、側壁１２のカード収納空間Ｓｃ側に、カード挿入方向に沿って延設されている。リブ１７の幅Ｗは、図７に示すように、カード挿入口１１から側壁１２の奥側（図７中上方）に行くにつれて徐々に細くなっている。また、リブ１７のカード挿入口１１側の端部には、外面１ａ側に略台形状に突出する突起部１７ｅが設けられている。このとき、突起部１７ｅと側壁１２の基端部との間には外面１ａ側に向けて開放される切欠状の隙間が形成される。
【００２１】
また、図２に示すように、リブ１７は上下二箇所に配置されているが、上側のリブ１７は、上側の支持爪部１６より下方に配置され、また、下側のリブ１７は、下側の支持爪部１６より上方に配置されている。すなわち、本実施形態では、リブ１７および支持爪部１６は、カード挿入口１１の長手方向に沿って相互にずらして配置してある。
【００２２】
また、図７に示すように、マスクパネル１Ｂの帯状部１５には、リブ１７に設けた突起部１７ｅに対して境界線ＢＬ側（カード挿入口１１の反対側）に、裏面１ｂ側に突設する突起部１５ａを設けてある。そして、帯状部１５の突起部１５ａと、リブ１７に設けた突起部１７ｅとは、図７の左右方向に係合されるようになっている。すなわち、インストルメントパネル本体１Ａのリブ１７に設けた突起部１７ｅは、境界線ＢＬ側でマスクパネル１Ｂと係止する係止突起部に相当する。
【００２３】
また、図２，図３，図５に示すように、支持爪部１６を設けたマスクパネル１Ｂには、相手部材であるインストルメントパネル本体１Ａに突設した被係止片１８を係止する係合爪部１９が設けられている。
【００２４】
係合爪部１９は、図３に示すように、上方の支持爪部１６の上側と下方の支持爪部１６の下側とに一対設けられている。各係合爪部１９は、図５に示すように、対応する支持爪部１６と同一形状となっており、マスクパネル１Ｂの裏面１ｂから略直角に突出する腕部１９ａと、この腕部１９ａの先端部に設けられた平面視略三角形状の膨出部１９ｂと、によって形成されている。
【００２５】
一方、被係止片１８は、図２に示すように、側壁１２の基部から棚部１１Ｓ１，１１Ｓ２の上下方向外側面に沿って係合爪部１９に近接する側に突出されている。そして、上下の被係止片１８については、図８に示すように、上壁部１２Ｕとの間、ならびに下壁部１２Ｌとの間にそれぞれ段差部１８ａが形成され、かつ、図３に示すように、被係止片１８と上壁部１２Ｕおよび下壁部１２Ｌとには、段差部１８ａを挟むようにして断面略Ｌ字状の延長部１８ｂ，１２ａが形成され、これら延長部１８ｂ，１２ａが被係止片１８の先端部となっている。
【００２６】
そして、マスクパネル１Ｂをインストルメントパネル本体１Ａの開口部１ｈに外面１ａ側から嵌め込んだ際には、図５に示すように、係合爪部１９の膨出部１９ｂが被係止片１８の延長部１８ｂを乗り越えて係止される。
【００２７】
また、図２および図３から明らかとなるように、本実施形態では、上下でそれぞれ対をなす支持爪部１６および係合爪部１９を、略同一形状として所定間隔δをあけて略平行に隣接配置してある。そして、図９に示すように、上側および下側のそれぞれの被係止片１８の先端部である延長部１２ａを、対をなす支持爪部１６および係合爪部１９の間に挿入してある。本実施形態では、係合爪部１９の膨出部１９ｂと延長部１２ａとが相互に上下方向（カード挿入口１１の長手方向）に係止されるようになっている。すなわち、この延長部１２ａが、第二の係止突起部に相当する。
【００２８】
以上のように、本実施形態にかかるカードホルダ構造では、二つの部材、すなわち、インストルメントパネル本体１Ａおよびマスクパネル１Ｂによってカードホルダ１０が形成されており、マスクパネル１Ｂのカード挿入口１１からカードＣをカード収納空間Ｓｃ内に挿入して保管できるようになっている。
【００２９】
ここで、本実施形態では、カード収納空間Ｓｃの主として一方側（本実施形態では図１，図７で右側）に配置される部材としてのマスクパネル１Ｂに、これを他方側に回り込ませた帯状部１５の突起部１５ａを形成する一方、他方側に配置される部材としてのインストルメントパネル本体１Ａには、この突起部１５ａのカード収納空間Ｓｃ側に隣接させて、当該カード収納空間Ｓｃの側壁１２の一部をなすリブ１７を形成してある。
【００３０】
すなわち、本実施形態では、インストルメントパネル本体１Ａを裏面１ｂ側に突設して側壁１２を形成し、この側壁１２の一部をなすリブ１７の外面１ａ側に、境界線ＢＬ側でマスクパネル１Ｂの帯状部１５の突起部１５ａと係止する突起部１７ｅを設けてある。
【００３１】
したがって、図７に示すように、カードＣから側壁１２に作用した押圧力Ｆａを、突起部１７ｅ，１５ａ同士の係止部分で、これら突起部１７ｅ，１５ａ同士が相互に突き合う方向、すなわち、インストルメントパネル本体１Ａとマスクパネル１Ｂとが相互に突き合う方向に作用させることができる。つまり、本実施形態によれば、カード収納部としてのカード収納空間ＳｃにカードＣを挿入したときに、当該カードＣから側壁１２に押圧力Ｆａが作用しても、この力によってカード収納部を形成する二つの部材（インストルメントパネル本体１Ａおよびマスクパネル１Ｂ）が相互に離間することを抑制できる。なお、このときに作用する押圧力Ｆａは、カードＣを挿入するときに作用する力や、支持爪部１６による弾発力等が考えられる。
【００３２】
また、上記本実施形態にかかる構成は、一部材としてのマスクパネル１Ｂに設けた支持爪部１６と突起部１５ａ（回り込ませた部分）との間に、カードＣならびに他部材としてのインストルメントパネル本体１Ａの突起部１７ｅを挟持する状態を構築していると言うこともできる。
【００３３】
また、本実施形態では、帯状部１５の突起部１５ａと係止する突起部１７ｅを、リブ１７に設けた。すなわち、リブ１７を設けた分だけ、軽量にして側壁１２ひいてはカードホルダの剛性および強度の向上を図ることができる上、突起部１５ａと係止する部分を、リブ１７以外に別個に設けた場合に比べて、構成を簡素化することができる。
【００３４】
また、本実施形態では、リブ１７と対向する支持爪部１６とでカードＣを挟持するため、支持爪部１６の弾発力によってカードＣをより確実に保持することが可能となる。
【００３５】
さらに、本実施形態では、リブ１７と支持爪部１６とをカード挿入口１１の長手方向に沿ってずらして配置したため、リブ１７と支持爪部１６との挟持力を、カードＣの撓みによって適宜に吸収することが可能となる。仮に、このようなずれが無く、リブ１７と支持爪部１６とがカードＣの厚み方向に並べて設けられていると仮定すると、寸法ばらつきによりリブ１７と支持爪部１６との間隙が小さくなる等して挟持力が大きくなった場合に、カードＣの挿入抵抗が高くなる上、カードＣの表面が損傷してしまう虞もある。この点、本実施形態によれば、カード挿入口１１の長手方向に沿ってずらして配置しておくことで、かかる不具合を抑制することができる。
【００３６】
また、本実施形態では、マスクパネル１Ｂに、支持爪部１６および係合爪部１９を設け、これらを略同一形状として所定間隔をあけて略平行に隣接配置している。したがって、支持爪部１６および係合爪部１９をスライド型を用いて樹脂成形する場合に、スライド型をより容易に形成できる上、当該スライド型のスライド長をより短く設定することができるので、生産性が向上して、より安価に製造することが可能となる。
【００３７】
また、本実施形態では、カード収納空間Ｓｃの主として一方側（本実施形態では図１，図６で左側）に配置される部材としてのインストルメントパネル本体１Ａに、これを他方側に回り込ませた第二の側壁としての奥側側壁１２Ｔを形成した。このため、図６に示すように、カード収納空間Ｓｃに挿入したカードＣから当該奥側側壁１２Ｔが受けた押圧力Ｆｂは、インストルメントパネル本体１Ａとマスクパネル１Ｂとの突き当て部分としての境界線ＢＬで、相互に突き合う方向に作用させることができる。つまり、本実施形態によれば、カード収納部としてのカード収納空間ＳｃにカードＣを挿入したときに、当該カードＣから奥側側壁１２Ｔに押圧力Ｆｂが作用しても、この力によってカード収納部を形成する二つの部材（インストルメントパネル本体１Ａおよびマスクパネル１Ｂ）が相互に離間することを抑制できる。なお、このときに作用する押圧力Ｆｂは、カードＣを挿入するときに作用する力等が考えられる。
【００３８】
以上、本発明の好適な実施形態について説明したが、本発明は上記実施形態には限定されず、種々の変形が可能である。例えば、上記実施形態では、カードホルダ構造を自動車等の車両の車室内に適用した場合を例示したが、かかるカードホルダ構造は、車両以外に適用することも勿論可能である。また、カードホルダの具体的な構成は、上記実施形態には限定されず、各部の形状、数、配置等は適宜に変更可能である。
【図面の簡単な説明】
【００３９】
【図１】本発明の一実施形態にかかるカードホルダの設置部位を示す斜視図である。
【図２】本発明の一実施形態にかかるカードホルダの裏面側の構造を示す斜視図である。
【図３】本発明の一実施形態にかかるカードホルダの裏面側の構造を示す分解斜視図である。
【図４】図１中Ａ部の拡大正面図である。
【図５】図４中Ｂ−Ｂ線に沿った拡大断面図である。
【図６】図４中Ｃ−Ｃ線に沿った拡大断面図である。
【図７】図４中Ｄ−Ｄ線に沿った拡大断面図である。
【図８】図４中Ｅ−Ｅ線に沿った拡大断面図である。
【図９】図２中Ｆ−Ｆ線に沿った拡大断面図である。
【符号の説明】
【００４０】
１Ａ  インストルメントパネル本体（第一および第二の部材のうちの一つ）
１Ｂ  マスクパネル（第一および第二の部材のうちのもう一つ）
１Ａｃ，１Ｂｃ  端縁
１ａ  外面
１ｂ  裏面
１０  カードホルダ
１１  カード挿入口（開口部）
１２  側壁
１２ａ  延長部（第二の係止突起部）
１２Ｔ  奥側側壁（第二の側壁）
１５  帯状部（回り込ませた部分）
１５ａ  突起部（回り込ませた部分）
１６  支持爪部
１７  リブ（側壁）
１７ｅ  突起部（係止突起部）
１９  係合爪部
ＢＬ  境界線
Ｓｃ  カード収納空間（カード挿入部）
Ｃ  カード
【図１】
2009056861.tif 000003
【図２】
2009056861.tif 000004
【図３】
2009056861.tif 000005
【図４】
2009056861.tif 000006
【図５】
2009056861.tif 000007
【図６】
2009056861.tif 000008
【図７】
2009056861.tif 000009
【図８】
2009056861.tif 000010
【図９】
2009056861.tif 000011